(57)【要約】      （修正有）【課題】ユニットの単体での使用も可能でしかもケーブルに邪魔されることなく壁際に楽に設置できる組み合わせ家具を提供する。【解決手段】組み合わせ家具は、左右の脚板６ａ，６ｂを有する机と、引出し方式の第１キャビネット２と、ロッカー方式の第２キャビネット３と、空気清浄機が内蔵された第３キャビネット４とから成っている。机と第１キャビネット２とは左右に並んでいて互いに固定されている。キャビネット２，３，４は上下に積み重なっていて隣り合ったものは互いに固定されている。電源用のケーブル４６，４７や電話線を家具の背面部に配線するにおいて、ケーブル４６，４７は側板等に空けられた穴３５を通っている。机の背面部には中間コンセントが固定されている。【選択図】図２
2008289554.tif 000002
【特許請求の範囲】
【請求項１】
平面視矩形で前方及び下方に開口した机と、前記机の右側面又は左側面のうちのいずれか一方に重ねて並設された第１キャビネットと、前記第１キャビネットの上面に重ねて配置された第２キャビネットと、前記第２キャビネットの上面に重ねて配置された第３キャビネットとを備えており、
ａ．前記机は、左右脚板と上板と背板とで構成されていて前方及び下方に開口した本体を備えており、本体の上板にはその後部を除いて天板が重なっており、本体の上板のうち天板の後方部には天板の上方に突出する高さのリアパネルが固定されており、前記リアパネルの前面に電源用主コンセントと電話線ジャックとを設けており、かつ、前記リアパネルは後方及び下方に開口していてこのため当該リアパネルと上板とで囲われた後ろ向き開口の上部空所が形成されている、
ｂ．前記第１キャビネットは、左右側板と上面板と背板とを備えて前向きに開口した本体の内部に複数段の引出しを装架した構成である、
ｃ．前記第２キャビネットは、左右側板と上面板と底板と背板とを備えて前向きに開口した本体に水平回動式扉を取付けた構成であると共に、内部にハンガーを介して衣類を収納できるように上下に長い形態である、
ｄ．前記第３キャビネットは左右側板と上面板と底板と背板とを備えて前向きに開口した形態であり、前記第３キャビネットの内部には空気清浄機が配置されている、
ｅ．前記机と第１キャビネット、第１キャビネットと第２キャビネット、第２キャビネットと第３キャビネット、のそれぞれは互いに固定されており、机の一方の脚板及び机におけるリアパネルの一側端部が第２キャビネットの一方の側板と重なっている、
という構成において、
ｆ．前記机と第１キャビネットと第２キャビネットとの背面部には、それぞれ背板を側板の後面より手前に配置することで後ろ向きに開口した背面空間が形成されており、
ｇ．前記机における一方の脚板のうち背面空間に露出した部分には中間コンセントが取付けられている一方、机における上面板の後部には、背面空間と上部空所とに連通した配線用の縦穴が形成されており、前記空気清浄機と主コンセントとに接続されたケーブルは前記中間コンセントから前記上面板の縦穴を介して机の上部空所に引き出されている、
ｈ．机におけるリアパネルの一側端部及び第２キャビネットの一方の側板には、前記空気清浄機の電源ケーブルを机の上部空所と第２キャビネットの背面空間とに通すための上部横穴が形成されている、
ｉ．前記第２キャビネットの上面板の後部には、前記空気清浄機の電源ケーブルを第３キャビネットの内部から第２キャビネットの背面空間に引き出すための切欠き又は縦穴が形成されている、
ｊ．前記第１キャビネットにおける左右両側板の下端部と机の一方の脚板とには、第２キャビネットの外側からケーブルを机の背面空間に引き込むための下部横穴が形成されている、
組み合わせ家具。
【請求項２】
前記机の背面空間はその下部に配置された水平状の補強板で上下に分離しており、前記補強板に配線用の下部縦穴が空いている一方、前記第２キャビネットの背面空間は第２キャビネットの本体を構成する底板によって上下に区分されており、前記ｊの下部横穴は第２キャビネットの底板及び机の補強板よりも下方の部位に空けられている、
請求項１に記載した組み合わせ家具。
【発明の詳細な説明】
【技術分野】
【０００１】
本願発明は、例えば病院の個室のような室の壁際に設置するのに好適な組み合わせ家具に関するものである。
【背景技術】
【０００２】
病院の個室には机とキャビネットとを設置しているが、一般には、机とキャビネットとは別体のものとして購入されており、机とキャビネットとは分離した状態で設置されたり左右に並べて設置されたりしている。
【０００３】
他方、病院の大部屋においても入院患者の生活環境を向上させることが厚生労働省から推奨されており、そこで、本願出願人は、机とキャビネットとの機能を有する間仕切装置で室を仕切ることを提案した（例えば特許文献１）。また、ロッカー式キャビネットの上面に箱を固定し、この箱の内部に空気清浄機を配置することも実用化されている。
【特許文献１】特開２００５−２１８７０１号公報
【発明の開示】
【発明が解決しようとする課題】
【０００４】
机は書き物や読書、パソコンの操作などに使用されており、他方、キャビネットは衣類を初めとした各種の物品の収納に使用されている。特許文献１の装置は全体が一体構造になっており、机機能と収納機能とが一体化しているため便利である。また、病室では電気製品や電話機を設置することが多く、そこで特許文献１では内部に配線空間を設けており、このように内部に配線空間を設けるとケーブル類（コード類）を美麗に処理できる利点がある。
【０００５】
特許文献１の装置（家具）は間仕切装置であり、装置の両側が病室になるため、机部とキャビネット部とが背中合わせに形成されているが、例えば病院の個室の壁際に設置する家具の場合は片面だけからの使用になり、このような片面使用タイプの家具においても、机機能とキャビネット機能とが一体化していてしかもケーブル類を美麗に処理できると、まとまりが良くて便利であると言える。
【０００６】
本願発明はこのような現状に鑑み成されたものであり、使い勝手と美観と融通性に優れた組み合わせ家具を提供せんとするものである。
【課題を解決するための手段】
【０００７】
本願発明の組み合わせ家具は、主要要素として、平面視矩形で前方及び下方に開口した机と、前記机の右側面又は左側面のうちのいずれか一方に重ねて並設された第１キャビネットと、前記第１キャビネットの上面に重ねて配置された第２キャビネットと、前記第２キャビネットの上面に重ねて配置された第３キャビネットとを備えている。
【０００８】
各要素を具体的に見ると、
ａ．前記机は、左右脚板と上板と背板とで構成されていて前方及び下方に開口した本体を備えており、本体の上板にはその後部を除いて天板が重なっており、本体の上板のうち天板の後方部には天板の上方に突出する高さのリアパネルが固定されており、前記リアパネルの前面に電源用主コンセントと通信線ジャックとを設けており、かつ、前記リアパネルは後方及び下方に開口していてこのため当該リアパネルと上板とで囲われた後ろ向き開口の上部空所が形成されている、
ｂ．前記第１キャビネットは、左右側板と上面板と背板とを備えて前向きに開口した本体の内部に複数段の引出しを装架した構成である、
ｃ．前記第２キャビネットは、左右側板と天板と底板と背板とを備えて前向きに開口した本体に水平回動式扉を取付けた構成であると共に、内部にハンガーを介して衣類を収納できるように上下に長い形態である、
ｄ．前記第３キャビネットは左右側板と上面板と底板と背板とを備えて前向きに開口した形態であり、前記第３キャビネットの内部には空気清浄機が配置されている、
ｅ．前記机と第１キャビネット、第１キャビネットと第２キャビネット、第２キャビネットと第３キャビネット、のそれぞれは互いに固定されており、机の一方の脚板及び机におけるリアパネルの一側端部が第２キャビネットの一方の側板と重なっている、
という構成になっている。
【０００９】
そして、請求項１では、特徴として、
ｆ．前記机と第１キャビネットと第２キャビネットとの背面部には、それぞれ背板を側板の後面より手前に配置することで後ろ向きに開口した背面空間が形成されており、
ｇ．前記机における一方の脚板のうち背面空間に露出した部分には中間コンセントが取付けられている一方、机における上面板の後部には、背面空間と上部空所とに連通した配線用の縦穴が形成されており、前記空気清浄機と主コンセントとに接続されたケーブルは前記中間コンセントから前記上面板の縦穴を介して机の上部空所に引き出されている、
ｈ．机におけるリアパネルの一側端部及び第２キャビネットの一方の側板には、前記空気清浄機の電源ケーブルを机の上部空所と第２キャビネットの背面空間とに通すための上部横穴が形成されている、
ｉ．前記第２キャビネットの上面板の後部には、前記空気清浄機の電源ケーブルを第３キャビネットの内部から第２キャビネットの背面空間に引き出すための切欠き又は縦穴が形成されている、
ｊ．前記第１キャビネットにおける左右両側板の下端部と机の一方の脚板とには、第２キャビネットの外側からケーブルを机の背面空間に引き込むための下部横穴が形成されている、
という構成を備えている。
【００１０】
請求項２の発明は、請求項１において、前記机の背面空間はその下部に配置された水平状の補強板で上下に分離しており、前記補強板に配線用の下部縦穴が空いている一方、前記第２キャビネットの背面空間は第２キャビネットの本体を構成する底板によって上下に区分されており、前記ｊの下部横穴は第２キャビネットの底板及び机の補強板よりも下方の部位に空けられている。
【発明の効果】
【００１１】
本願発明において、机と第１キャビネットと第２キャビネットと第３キャビネットとの各ユニットはそれぞれが独立して使用可能である。すなわち、単体（ユニット）での使用と本願発明品としての組み合わせ使用とが可能であり、このため家具としての融通性に優れている。しかも、隣り合ったユニットは互いに固定されていて全体が単一形態を成しているため、安定性に優れている。特に、第３キャビネットの上面に空気清浄機を設けていることで全体の高さが高いものでありながら、机の存在によって全体の重心が低くなって安定性を向上しており、この点、本願発明の利点の一つである。
【００１２】
また、机上で使用する電気製品や通信機器及び空気清浄機に接続されたケーブル類は、各ユニットの背面部に形成された空間に配置されているため外部に露出することはなく、このため美観に優れている。
【００１３】
そして、本願発明では、ケーブルは、第２キャビネットの側板に空けた穴と机における側板及びリアパネルに空けた穴を介して第２キャビネットと机との間に挿通されているが、穴はケーブルが後ろ側にずれるのを阻止するストッパーの役割を果たしており、このため、キャビネットと机との相互間にケーブルを配線するにおいてケーブルが第２キャビネットや机の後端面と重なることを防止又は著しく抑制でき、その結果、配線済の組み合わせ家具を壁に寄せるに際してケーブルが家具の後面と壁との間に挟まることを防止できる、という利点がある。
【００１４】
また、空気清浄機と主コンセントとには、机の側板の内面に配置した中間コンセントから給電されるため、空気清浄機の電源ケーブルと主コンセントの電源ケーブルとは長くする必要はなく、このためケーブルに大きな余長部が生じて処理が面倒になる事態を防止できる。
【００１５】
請求項２のように構成すると、机は補強板の存在によって頑丈な構造となり、他方、第１キャビネットも底板の存在によって頑丈な構造になり、しかも、例えば建物のコンセトントに接続されたケーブルは第２キャビネットの側板及び机の側板の下端部に設けた下部横穴を介して机の後面空間に引き出されるため、ケーブルが第１ビネットの側板と及び机の側板で踏まれることを防止又は著しく抑制でき、このため、配線してから家具を壁際に押してセットする作業を楽に行える。
【００１６】
また、外部電源に接続されたケーブルの余長部分が第１キャビネットの底板や机の補強板に載っていると、余長部分が第１キャビネットの底板又は机の補強板の後ろ側に垂れ落ちることがあり、すると、ケーブルが家具と壁との間に挟まってしまうことがあるが、請求項２のように構成すると、ケーブルの余長部分は建物の床面に這わせればよいため、ケーブルの余長部分が家具と壁との間に挟まることはなく、このため家具を壁際にセットする作業をより一層楽に行える。
【発明を実施するための最良の形態】
【００１７】
次に、本願発明の実施形態を図面に基づいて説明する。本実施形態は病院の個室に設置する家具（木製家具）に適用している。図１は前方から見た斜視図、図２のうち（Ａ）は後方から見た斜視図、（Ｂ）は部分的な分離斜視図、図３は一部破断正面図、図４は後方から見た部分的な分離斜視図である。
【００１８】
(1).家具の概要
まず、概要を説明する。家具は、平面視矩形で前方及び下方に開口した机１と、机１の右側面に重ねて並設した第１キャビネット２と、第１キャビネット２の上面に重ねて配置された第２キャビネット３と、第２キャビネット３の上面に重ねて配置された第３キャビネット４とを備えており、第３キャビネット４の内部には空気清浄機５を配置している。
【００１９】
机１は前向きに開口した本体を備えており、本体は、左右の脚板６ａ，６ｂ、左右脚板６ａ，６ｂの上端に固定された水平姿勢の上面板７、左右の脚板８の後部間に装架した鉛直姿勢の背板８で構成されており、上面板７のうち後端部を除いた部分には天板９が固定されており、上面板７の後端部には、天板９の背面と重なった厚肉板状のリアパネル１０が固定されている。リアパネル１０は天板９の上方に突出しており、その左端寄り部位にはプレート１１が嵌め込まれており、プレート１１に電源用主コンセント１２と電話線用用ジャック１３とが取付けられている。
【００２０】
第１キャビネット２は、前向きに開口した本体の内部に３段の引出し１５を装架した構成であり、本体は、左右側板１６ａ，１６ｂ、左右側板１６ａ，１６ｂの上端に固定された上面板１７，左右側板１６ａ，１６ｂの下端部に固定された底板１８，左右側板１６ａ，１６ｂの後端部に固定された背板１９とで構成されている。敢えて述べるまでもないが、引出し１５はレールによって前後動自在に支持されている。下段の引出し１５の下方には巾木２０が配置されている。
【００２１】
第２キャビネット３は前向きに開口した本体の前端縁に水平回動自在な扉２１を取り付けた構成であり、本体は、左右側板２２ａ，２２ｂと上面板２３と底板２４と背板２５とで構成されている。第２キャビネット３は例えばコートを吊り掛けできる程度の高さであり、本体の内部のうち上部には、ハンガーを掛けるためのバー２６を装架している。なお、扉２１は両開き方式にすることも可能である。
【００２２】
第３キャビネット４は、左右側板２８と上面板２９と底板３０と背板３１とで構成されており、既述のとおり、内部に空気清浄機５が配置されている。空気清浄機５は正面視では正方形に近い形態で側面視では縦長長方形であり、前面には吸気口と排気口とを設けている。空気清浄機５は図示しないビスで第３キャビネット４の底板３０に固定されている。
【００２３】
第１〜第３キャビネット３，４，５は平面視で完全に重なっており、また、各キャビネット３，４，５と机１の奥行き寸法は同じになっている。そして、机１の右側脚６ｂと第１キャビネット２の左側板１６ａ，第１キャビネット２の上面板１７と第２キャビネット３の底板２４，第２キャビネット３の上面板２３と第３キャビネット４の底板３０は、それぞれビスで固定されている。
【００２４】
机１の机上面の高さは通常の机と同様におおよそ７０ｃｍ程度に設定しており、第１キャビネット２の高さは机１の机上面より若干低くなっている（同じ高さでも良い）。また、第３キャビネット４の上面までの高さは、２００〜２３０ｃｍ程度に設定している。
【００２５】
(2).家具の背面部の詳細・配線構造
次に、主として図２及び図４に基づいて家具の背面部の構造と配線構造とを説明する。まず机１について説明する。
【００２６】
机１は、背板８を左右脚板６ａ，６ｂの背面よりもある程度の寸法だけ手前側に位置させており、かつ、左右脚板６ａ，６ｂの下部間で背板８の裏側の部分に補強板３２が配置されている。このため、机１の背面部には、補強板３２を境にして分離した主背面空間３３ａと下部背面空間３３ｂとが形成されている。敢えて述べるまでもないが、主背面空間３３ａは後方に開口しており、下部背面空間３３ｂは後方と下方とに開口している。
【００２７】
また、リアパネル１０は後方及び下方に開口するように抉られた形態であり、このため、リアパネル１０と上面板７とで囲われた上部空所３４が後ろ向きに開口しており、主コンセント１２は上部空所３４に露出している。
【００２８】
机１における上面板７の後部でかつ左右略中間部には上部空所３４と主背面空間３３ａとに連通する上部縦穴３５が空いている一方、補強板３２の右端部には主背面空間３３ａと下部背面空間３３ｂとに連通する下部縦穴３６が空いており、また、リアパネル１０の右側部には上部横穴３７が貫通しており、右脚板６ｂの後部のうち補強板３２より下方の部分には下部横穴３８が貫通している。なお、背板８は左右脚６ａ，６ｂの下端面まで延びている。
【００２９】
第１キャビネット２及び第２キャビネット３も、それぞれ背板１９，２５を側板１６ａ，１６ｂ，２２ａ，２２ｂの後面よりも手前に位置させることによって後ろ向き開口の背面空間３９，４０が形成されている。第１キャビネット２の底板１８は左右脚板６ａ，６ｂの下端面よりも上方に位置しており、このため、第２キャビネット２のうち底板１８の下方の部分は後方と下方とに開口した下部空間３９ａになっている。
【００３０】
そして、第１キャビネット２の左右側板１６ａ，１６ｂの後部には横穴４１，４２が貫通しており、第２キャビネット３における左側板２２ａの後部でかつ下端部にも横穴４３が貫通している。第１キャビネット２における左側板１６ａの横穴４１は机１の下部横穴３８と連通してり、第２キャビネット３における左側板２２ａの横穴４３は机１の上部横穴３７と連通している。各横穴と縦穴は電源プラグを挿通できる程度の大きさに設定している。
【００３１】
机１の右脚板６ｂの内面のうち主背面空間３３ａに露出した部分には中間コンセント４４が固定されている。建物の電源に接続された主電源ケーブル４５は第１キャビネット２の横穴４１，４２、机１の下部横穴３８及び下部縦穴３６を通って中間コンセント４４に接続されている。主コンセント１２に接続された中間ケーブル４６は、プラグ１２ａを介して中間コンセント４４に接続されている。電話線は表示していないが、第１キャビネット２と机１との横穴及び縦穴を通ってジャック１３に接続されている（中間コンセント４４に電話線の中継口を設けることも可能である。）。
【００３２】
第３キャビネット４の背板３１は左右側板２８の後面と一致しており、そこで、空気清浄機５の電源ケーブル４７を引き出すため、背板３１の下部で左端寄り部位に下向き切欠き４８を形成すると共に、第２キャビネット３における上面板２３には、下向き切欠き４８に連通した後ろ向き切欠き４９を形成している。空気清浄機５の電源ケーブル４７は、両切欠き４８，４９、第２キャビネット３の横穴４３、机１の上部横穴３７及び上部縦穴３５を通って中間コンセント４４に接続される。
【００３３】
空気清浄機５の電源ケーブル４７を第２キャビネット３の背面空間３９に引き出す手段としては、第２キャビネット２の上面板２３と第３キャビネット４の底板３０とに縦穴を空けることも可能である。
【００３４】
(3).まとめ
家具を建物の壁際に設置する場合、家具を壁Ｗから離した状態で配線し、次いで、家具を壁Ｗに向けて押すことになる。そして、この設置作業において、ケーブル４５，４６，４７は穴を介して配線用の空間に配置されているため、ケーブル４５，４６，４７が壁と家具との間に挟まることはなく、このため、家具の設置作業を楽に行える。
【００３５】
なお、空気清浄機５の電源ケーブル４７は第３キャビネット４と第２キャビネット３との切欠き４８，４９から第２キャビネット３の背面空間３９に引き出されているが、電源ケーブル４７は自重で垂れ下がっているので、切欠き４８，４９から引き出していても電源ケーブル４７が第２キャビネット３の側板２２ａと壁Ｗとの間に挟まることはない。
【００３６】
また、中間コンセント４４を設けたことにより、中間ケーブル４６と空気清浄機５の電源ケーブル４７とを長くする必要がなくて、中間ケーブル４６や空気清浄機５の電源ケーブル４７は余長部分を殆ど無くすことができ、このため、ケーブル４６，４７が机１の上板７や補強板３２や第２キャビネット３の底板２４から外側に垂れ下がることを防止でき、その結果、ケーブル４６，４７が壁Ｗと家具との間に挟まることをより一層防止できる。
【００３７】
家具を設置するにおいては、主ケーブル４５を第１キャビネット２の外側に引っ張って第１キャビネット２と机１との背面部に余長部分がない状態で家具を壁Ｗに寄せると、主ケーブル４５が家具と壁Ｗとの間に挟まることを確実に防止できる。そして、家具を壁Ｗに密着させてから、主ケーブル４５の余長部分は第１キャビネット２の下部空間３９ａに戻し入れたら良い。
【図面の簡単な説明】
【００３８】
【図１】本願発明の実施形態に係る家具を前方から見た斜視図である。
【図２】（Ａ）は家具を後方から見た斜視図、（Ｂ）は部分的な分離斜視図である。
【図３】一部破断正面図である。
【図４】後方から見た部分的な分離斜視図である。
【符号の説明】
【００３９】
１  机
２  第１キャビネット
３  第２キャビネット
４  第３キャビネット
５  空気清浄機
８，１９，２５，３１  背板
１０  リアパネル
１２  主コンセント
１３  電話線のジャック
３３ａ，３９，４０  背面空間
３４  上部空所
３５，３７，３８，４１，４２，４３  配線用の穴
４５，４６，４７  ケーブル
【図１】
2008289554.tif 000003
【図２】
2008289554.tif 000004
【図３】
2008289554.tif 000005
【図４】
2008289554.tif 000006